(57)【要約】【課題】歯の内側を見やすく照明して目視観察ができ、しかも照明をオン、オフするスイッチの切り忘れを防止することができるなどの改良を加えた照明付デンタルミラーを提供する。【解決手段】把持に適した形の筒状である本体１と、本体１の軸方向に対し、その先端に傾斜させて配置したミラー３と、本体１の筒内先端近傍に光軸を本体の軸方向先端に向け配置したＬＥＤ５と、その前方に光を反射させるプリズム６とを備え、プリズム６でＬＥＤ５の出力光を矢印Ａ方向、歯の内側へ向け反射させて出力する。観察しようとする歯の内側を的確に照明しミラー３で観察することができる。ボタン型の電池４はミラー３の裏面に収納されるので全体がコンパクトなものとなり、電池蓋を設けず使い切りとするので電池脱落による嚥下の心配もなく安全である。本体１の後部端の操作部７はスライドし、スイッチとして機能するが、これを下にして収納することで電源切り忘れ防止の効果がある。【選択図】　　図１
2004097725.tif 000002
【特許請求の範囲】
【請求項１】
把持に適した形の筒状である本体と、
前記本体の軸方向に対し、その先端に傾斜させて配置したミラーと、
前記本体の筒内先端近傍に光軸を本体の軸方向先端に向け配置した光源と、
前記光源からの光を反射させるプリズム又は反射鏡からなる反射手段と、を備え、
前記反射手段により照明対象へ向け前記光源からの光を反射させ照明することを特徴とする照明付デンタルミラー
【請求項２】
光源の電源となるボタン型の電池をミラー裏面に収納するとともに、電池は取り出し不能としたことを特徴とする請求項１に記載の照明付デンタルミラー。
【請求項３】
光源の電源のオン、オフは、本体後部端に、本体の軸方向に前後動する操作部材を設け、この操作部材を本体内のスイッチ手段と連動させ、前記操作部材を本体と離間方向に操作することでオンとし、接近方向に操作することでオフとして行うことを特徴とする請求項１に記載の照明付デンタルミラー。
【請求項４】
把持に適した形の筒状である本体と、
前記本体の軸方向に対し、その先端に傾斜させて配置したミラーと、
前記本体の筒内先端近傍に光軸を本体の軸方向先端に向け配置した光源と、
前記光源からの光を反射させるプリズム又は反射鏡からなる反射手段と、を備え、
前記反射手段により照明対象へ向け前記光源からの光を反射させ照明することを特徴とする照明付デンタルミラーであって、前記光源の電源となるボタン型の電池をミラー裏面に収納するとともに、電池は取り外し不能とし、光源の電源のオン、オフは、本体後部端に、本体の軸方向に前後動する操作部材を設け、この操作部材を本体内のスイッチ手段と連動させ、前記操作部材を本体と離間方向に操作することでオンとし、接近方向に操作することでオフとして行うことを特徴とする照明付デンタルミラー。
【発明の詳細な説明】
【０００１】
【発明の属する技術分野】
本発明は口腔内の歯の内側を目視するミラーに関する。
【０００２】
【従来の技術】
口腔内の歯の内側（裏側）を目視するミラーに照明装置を付加して歯の内側を照明し目視しやすくしたものは公知である。例えば、実開昭５９−１９１０６号公報には歯科医の歯治療用ミラーの付根部分にマイクロランプを取り付け、歯の内側がよく磨かれているか点検ができるミラーが記載されている。また、登録実用新案公報実案登録第３０６７８４７号には、柄の先端に、鏡を備えた検視鏡部を傾斜状に連結し、鏡を検視鏡部表裏の両面に形成した歯科用ミラーであって検視鏡部の周囲に照明用の発光体を設けたものが記載されている。
【０００３】
【発明が解決しようとする課題】
これらの、口腔内の歯の内側を目視するミラーに照明装置を付加したものにおいては、単に照明装置を付加しただけでなく、照明対象である歯の内側をはっきりと観察するよう目視できることが要求されている。不完全な目視状態では歯科医の場合診断を誤り、家庭用の場合も歯磨き状態の判定に不適切な結論を得ることになる。前記した従来例の前者では単にミラーの付根部分にマイクロランプを取り付けただけであるので、照明の効果は期待できるものではない。また後者においては検視鏡部の周囲に照明用の発光体を設けるので、ミラー自体が照明されてしまい、ミラーが輝いてしまって対象が映っているミラー面を目視しにくい状態が考えられる。本発明は、このような従来の照明付デシタルミラーを、照明対象である歯の内側をはっきりと観察するよう目視でき、しかも照明をオン、オフするスイッチの切り忘れを防止することができるようにするなどの改良を加えたものとすることを目的としている。
【０００４】
【課題を解決するための手段】
この課題を解決するために本発明は、本体の先端に傾斜させてミラーを取り付け、本体の先端寄りに光源としてＬＥＤを配置し、その前方にプリズムを置き、ＬＥＤの光を屈折反射させて出力するようにしたものである。これにより、的確に観察対象の歯の内側を照明し、その部分をミラーで詳細に観察できる照明付デンタルミラーが得られる。
【０００５】
光源の電源となるボタン型の電池はミラー裏面に収納するように構成する。また、電池は交換不能な使い切りとする。これにより全体の形状、大きさをコンパクトなものとすることができ、また、電池が口腔中で使用中に抜け出すようなことがないので、嚥下事故なども防ぐことができ、安全である。
【０００６】
光源の電源のオン、オフは、本体後部端に本体の軸方向に前後動する操作部材を設け、この操作部材を本体内のスイッチ手段と連動させ、前記操作部材を本体と離間方向に操作することでオンとし、接近方向に操作することでオフとして行うように構成する。このようにすることで、電源を切り忘れるようなことがあってもペン立てなどにデンタルミラーの後部端を下にして、立てて収納すれば自重で自動的に電源が切れ、無用の電池消耗を防止することができる。
【０００７】
【発明の実施の形態】
本発明の請求項１に記載の発明は、　把持に適した形の筒状である本体と、前記本体の軸方向に対し、その先端に傾斜させて配置したミラーと、前記本体の筒内先端近傍に光軸を本体の軸方向先端に向け配置した光源と、前記光源からの光を反射させるプリズム又は反射鏡からなる反射手段と、を備え、前記反射手段は照明対象へ向け前記光源からの光を反射させることを特徴とする照明付デンタルミラーとしたものであり、照明対象である歯の内側をはっきりと観察するよう目視できるという作用を有する。
【０００８】
請求項２に記載の発明は、前記請求項１において、光源の電源となるボタン型の電池をミラー裏面に収納するとともに、電池は取り外し不能としたことを特徴とする照明付デンタルミラーとしたものであり、口腔内で電池が使用中に脱落し嚥下してしまったり、いたずらで取り外されて幼児の嚥下を招いたりすることがなく安全である作用を有する。
【０００９】
請求項３に記載の発明は、前記請求項１において、光源の電源のオン、オフは、本体後部端に、本体の軸方向に前後動する操作部材を設け、この操作部材を本体内のスイッチ手段と連動させ、前記操作部材を本体と離間方向に操作することでオンとし、接近方向に操作することでオフとして行うことを特徴とするものであり、操作部材側を下向きにして保管するようにすることで使用後の電源の切り忘れがないという作用を有する。
【００１０】
請求項４に記載の発明は、把持に適した形の筒状である本体と、前記本体の軸方向に対し、その先端に傾斜させて配置したミラーと、前記本体の筒内先端近傍に光軸を本体の軸方向先端に向け配置した光源と、前記光源からの光を反射させるプリズム又は反射鏡からなる反射手段と、を備え、前記反射手段は照明対象へ向け前記光源からの光を反射させることを特徴とする照明付デンタルミラーであって、前記光源の電源となるボタン型の電池をミラー裏面に収納するとともに、電池は取り外し不能とし、光源の電源のオン、オフは、本体後部端に、本体の軸方向に前後動する操作部材を設け、この操作部材を本体内のスイッチ手段と連動させ、前記操作部材を本体と離間方向に操作することでオンとし、接近方向に操作することでオフとして行うことを特徴とする照明付デンタルミラーとしたものであり、照明対象である歯の内側をはっきりと観察するよう目視できるという作用、電池が口腔内で使用中に脱落し嚥下したり、取り外された電池を幼児が嚥下したりすることがなく安全である作用、そして、操作部材側を下向きにして保管するようにすることで使用後の電源の切り忘れがないという作用を有する。
【００１１】
（実施の形態１）
図１は本発明の照明付デンタルミラーの側面図を示し、一部を断面としている。また、図２は同正面図、図３は一部を断面としない側面図である。図１において、１は照明付デンタルミラーの本体であり、樹脂製で把持しやすい形状寸法、やや先細の円筒状である。２は本体１を、その先端から傾斜させて延設したミラー部であり、ミラー部２の開いた前面２ｆには円形のミラー３がその鏡面を露出させて取り付けられ、ミラー部２の閉じた背面２ｂ内にはボタン型の電池４が収納されている。
【００１２】
５はＬＥＤである。本体１の筒内の先端寄りに、発光部を本体１の先端方向に向け光軸を本体１の軸方向に向け取り付ける。ＬＥＤ５は前記のボタン型の電池４によって通電駆動されるが配線回路は省略する。
【００１３】
６はプリズムである。本体１の筒内の先端寄り、前記ＬＥＤ５の発光部の前方に配置し、ＬＥＤ５から発光する光がプリズム６の入射面に入力されプリズム６内部の反射面で反射して、本体１の先端寄りの面から露出しているプリズム６の出射面から出力され、その出力方向が照明対象面に向くような位置に配置される。図１においては光の出力方向を矢印Ａ方向として図示してある。
【００１４】
このような構成の本発明実施の形態１の照明付デンタルミラーを用いることによって、ＬＥＤ５の出力光がプリズム６によって矢印Ａ方向に適切に屈折反射出力され、照明対象目的の歯の内側を明るく照らす。照らされた歯の内側はミラー３によって詳細に目視することができ、診断や判定が確実かつ容易である。
【００１５】
（実施の形態２）
前記の実施の形態１において記述したように、光源であるＬＥＤ５の電源となるボタン型の電池４はミラー部２の閉じた背面２ｂ内部に収納されている。そしてこの部分には通常着脱可能な電池蓋を設けて電池の交換を行うようにするが、本実施の形態２における照明付デンタルミラーでは、この電池蓋を設けず、電池４は取り外し不能としてある。これは口腔内で使用中に電池が脱落したり、いたずらで取り外されたりして幼児が嚥下するような事態を招いたりすることがないようにしたもので、取り扱い上安全である。
【００１６】
（実施の形態３）
７は操作部である。本体１の後部端に取り付け、本体１の軸方向にスライド操作可能かつ脱落しないように取り付けてあり、本体１内に備える電気的なスイッチに連動させてある。スイッチ及び回路は省略するが、この操作部７を本体１から離間する方向、図１における矢印Ｂ方向に引き出すことでスイッチがオンとなってＬＥＤ５が電池４と接続されて点灯する。この場合の操作部７の状態を図２に示してある。同図においてＧは離間寸法である。そしてこの操作部７を操作し、本体１に接近する方向、図２における矢印Ｃ方向に押し込むことでスイッチがオフなってＬＥＤ５が電池４と接続を断たれて消灯する。この状態を図１及び図３に示してある。
【００１７】
操作部７のスライド動作はごく軽い操作力で行えるように設定する。このようにすることで、本発明の照明付デンタルミラーを筆立て等の設備に立てて収納した場合、誤って操作部７を引き出したままで収納しても自重で押し込まれてスイッチがオフとなり、電池が無駄に消耗することがないものとすることができる。
【００１８】
（実施の形態４）
本実施の形態４は前記した三つの実施の形態、１，２，３を総合したものである。従って詳細な記述は省略するが、これらにより、照明対象目的の歯の内側を明るく照らし、照らされた歯の内側はミラー３によって詳細に目視することができ、診断や判定が確実かつ容易であって、口腔内で電池が使用中に脱落したり、いたずらで取り外されたりして幼児が嚥下する事態を招いたりすることがないようになり、取り扱い上安全であり、筆立て等の設備に立てて収納した場合、誤って操作部７を引き出したままで収納しても自重で押し込まれてスイッチがオフとなり、電池が無駄に消耗することがない。
【００１９】
なお、以上の各実施の形態の説明ではＬＥＤの発光する光を屈折反射させるのにプリズムを用いて構成した例を説明したが、反射鏡などの鏡であってもよい。
【００２０】
【発明の効果】
以上のように本発明の請求項１によれば、把持に適した形の筒状である本体と、前記本体の軸方向に対し、その先端に傾斜させて配置したミラーと、前記本体の筒内先端近傍に光軸を本体の軸方向先端に向け配置した光源と、前記光源からの光を反射させるプリズム又は反射鏡からなる反射手段とを備え、前記反射手段は照明対象へ向け前記光源からの光を反射させるようにしたので、的確に観察対象の歯の内側を照明し、その部分をミラーで詳細に観察できるという有利な効果が得られる。
【００２１】
また、請求項２によれば、前記請求項１において、光源の電源となるボタン型の電池をミラー裏面に収納するとともに、電池は取り出し不能としたので、これにより全体の形状、大きさをコンパクトなものとすることができ、また、電池が使用中に口腔内へ抜け出すようなことがないので、口腔中で電池が脱落し、これを嚥下してしまう危険がなく、またいたずらで取り外されて幼児の嚥下事故を招くこともなく、安全であるという有利な効果が得られる。
【００２２】
また、請求項３によれば、前記請求項１において、光源の電源のオン、オフは、本体後部端に本体の軸方向に前後動する操作部材を設け、この操作部材を本体内のスイッチ手段と連動させ、前記操作部材を本体と離間方向に操作することでオンとし、接近方向に操作することでオフとして行うこととしたので、電源を切り忘れるようなことがあってもペン立てなどにデンタルミラーの後部端を下にして、立てて収納すれば自重で自動的に電源が切れ、無用の電池消耗を防止することができるという有利な効果が得られる。
【００２３】
また、請求項４によれば、把持に適した形の筒状である本体と、前記本体の軸方向に対し、その先端に傾斜させて配置したミラーと、前記本体の筒内先端近傍に光軸を本体の軸方向先端に向け配置した光源と、前記光源からの光を反射させるプリズム又は反射鏡からなる反射手段と、を備え、前記反射手段は照明対象へ向け前記光源からの光を反射させることを特徴とする照明付デンタルミラーであって、前記光源の電源となるボタン型の電池をミラー裏面に収納するとともに、電池は取り外し不能とし、光源の電源のオン、オフは、本体後部端に本体の軸方向に前後動する操作部材を設け、この操作部材を本体内のスイッチ手段と連動させ、前記操作部材を本体と離間方向に操作することでオンとし、接近方向に操作することでオフとして行うこととしたので、的確に観察対象の歯の内側を照明し、その部分をミラーで詳細に観察できるという有利な効果、全体の形状、大きさをコンパクトなものとすることができ、また、電池が使用中に抜け出すようなことがないので、口腔中で電池が脱落し、これを嚥下してしまう危険がなく、またいたずらで取り外されて幼児の嚥下事故を招くこともなく、安全であるという有利な効果、そして、電源を切り忘れるようなことがあってもペン立てなどにデンタルミラーの後部端を下にして、立てて収納すれば自重で自動的に電源が切れ、無用の電池消耗を防止することができるという有利な効果が得られる。
【図面の簡単な説明】
【図１】本発明の照明付デンタルミラーの一部を断面とした側面図である。
【図２】本発明の照明付デンタルミラーの正面図である。
【図３】本発明の照明付デンタルミラーの側面図である。
【符号の説明】
１　　　本体
２　　　ミラー部
３　　　ミラー
４　　　電池
５　　　ＬＥＤ
６　　　プリズム
７　　　操作部
【図１】
2004097725.tif 000003
【図２】
2004097725.tif 000004
【図３】
2004097725.tif 000005